(57)【特許請求の範囲】
【請求項１】
導光板又は発光体を設け光を発する発光部と、
前記発光部の周囲を囲うように配設され、光源と該光源から光が入射される導光部材と該導光部材から導出される光を所定の方向に反射させる反射部材とを設けた導光部と、
前記発光部及び前記導光部を保持し、該発光部及び該導光部に電力を供給する電源基板を設けた筐体部とを有し、
前記発光部の前記導光板は、前記発光部に備えられた光源から発せられた光を入射面から入射させて他の面から導出すること
を特徴とする照明装置。
【請求項２】
前記発光部の前記発光体は、全体が球状に形成された電球形状、先端が平面状に形成され側面が湾曲した樽形状、又は先端が平面状に形成され側面が延伸した円錐台若しくは円柱形状から成ること
を特徴とする請求項１に記載の照明装置。
【請求項３】
前記発光部の前記導光板は、交差して設けられ、並列に設けられ、又は屈折もしくは湾曲して設けられていること
を特徴とする請求項１に記載の照明装置。
【請求項４】
前記発光部は、前記導光板の前記入射面に対向する先端に、所定の深さの円柱形状又は円錐形状から成る凹部が形成されていること
を特徴とする請求項１に記載の照明装置。
【請求項５】
前記発光部は、前記導光板の前記入射面に対向する先端が、台形台形状又は円錐台形状から形成されていること
を特徴とする請求項１に記載の照明装置。
【請求項６】
前記発光部の前記導光板は、複数組み合わされた前記導光板の断面が、内部に空間を設けた多角柱形状、円筒形状、楕円形状、又は中心から複数の枝部を突出させた形状から成ること
を特徴とする請求項１に記載の照明装置。
【請求項７】
前記発光部の前記導光板の一部は、前記導光部の前記導光部材から突出して設けられていること
を特徴とする請求項１に記載の照明装置。
【請求項８】
前記発光部の前記導光板又は前記導光部の前記導光部材の少なくとも一面以上の一部に、凹状又は凸状のパターンで所定の情報を表す表示面が設けられていること
を特徴とする請求項１に記載の照明装置。
【請求項９】
前記表示面は、前記発光部の前記導光板の対向する一面と他面にそれぞれ設けられ、
前記他面に表された前記所定の情報は、前記一面に表された前記所定の情報を左右方向又は上下方向に対して反転したものであること
を特徴とする請求項８に記載の照明装置。
【請求項１０】
前記表示面に設けられた前記所定の情報は、キャラクタ、図形、商号、文字、記号、又はそれらの組み合わせから成ること
を特徴とする請求項８に記載の照明装置。
【発明の詳細な説明】
【技術分野】
【０００１】
本発明は、発光部と該発光部の周囲を囲うよう設けられた導光部とを設けた照明装置に関する。
【背景技術】
【０００２】
従来、埋込型の照明器具に関して、補助光源が反射板に設けられた凹部に設置され、補助光源の光が反射板の反射面で反射されて出射する照明器具の構成がある（例えば、特許文献１参照。）。
【先行技術文献】
【特許文献】
【０００３】
【特許文献１】特開２００９−２８３１９８号公報
【発明の概要】
【発明が解決しようとする課題】
【０００４】
しかしながら、前述の様な構成では、スポット型や電球型など光の配光特性やデザイン性に係る仕様を自由に選択することができず、且つ装置から出射される光の配光分布が十分に平均化されず、さらに装置の下方のみを照明するものであり該装置の周囲については十分に照明できない問題が有った。
【０００５】
そこで、本発明は前述の技術的な課題に鑑み、スポット型や電球型など光の配光特性やデザイン性に係る仕様を自由に選択することができ、且つ装置から出射される光の配光分布が十分に平均化されており、さらに装置の下方に加えて該装置の周囲についても十分に照明できる照明装置の提供を目的とする。
【課題を解決するための手段】
【０００６】
前述の課題を解決すべく、本発明に係る照明装置は、導光板又は発光体を設け光を発する発光部と、前記発光部の周囲を囲うように配設され、光源と該光源から光が入射される導光部材と該導光部材から導出される光を所定の方向に反射させる反射部材とを設けた導光部と、前記発光部及び前記導光部を保持し、該発光部及び該導光部に電力を供給する電源基板を設けた筐体部とを有し、前記発光部の前記導光板は、前記発光部に備えられた光源から発せられた光を入射面から入射させて他の面から導出することを特徴とする。
【発明の効果】
【０００７】
本発明に係る照明装置によれば、スポット型や電球型など光の配光特性やデザイン性に係る仕様を自由に選択することができ、且つ装置から出射される光の配光分布が十分に平均化されており、さらに装置の下方に加えて該装置の周囲についても十分に照明できる。
【図面の簡単な説明】
【０００８】
【図１】本発明の第１の実施形態に係る照明装置を示す斜視図であり、（ａ）は照明装置の各構成を透過させない状態で示す斜視図、（ｂ）は照明装置の一部の構成を透過させた状態で示す斜視図である。
【図２】本発明の第１の実施形態に係る照明装置を構成毎に分解して示す斜視図である。
【図３】本発明の第１の実施形態に係る照明装置を示す要部断面図である。
【図４】本発明の第１の実施形態に係る照明装置の発光部に配設され出射面の先端が複数の導光片を形成するように分岐された導光板及び該導光板に隣接して設けられる光源を示す模式図であり、（ａ）は導光板と光源を導光板の主面から示す模式図、（ｂ）は導光板の中央の導光片と光源を断面図で示す模式図である。
【図５】本発明の第１の実施形態に係る照明装置の発光部に設けられた導光板の中で複数に分岐された導光片に対して外側に向かって曲面が形成されている導光板を示す模式図であり、（ａ）は導光板の主面を示す模式図、（ｂ）は導光板の先端を示す模式図である。
【図６】本発明の第１の実施形態に係る照明装置の発光部に設けられた導光板の中で複数に分岐された導光片に対して内側に向かって曲面が形成されている導光板を示す模式図であり、（ａ）は導光板の主面を示す模式図、（ｂ）は導光板の先端を示す模式図である。
【図７】本発明の第１の実施形態に係る照明装置の発光部に設けられた導光板の中で複数に分岐された導光片に対して内側に向かって傾斜面が形成されている導光板を示す模式図であり、（ａ）は導光板の主面を示す模式図、（ｂ）は導光板の先端を示す模式図である。
【図８】本発明の第１の実施形態に係る照明装置の発光部に設けられた導光板の中で複数に分岐された導光片の先端が凹状に形成されている導光板を示す模式図であり、（ａ）は導光板の主面を示す模式図、（ｂ）は導光板の先端を示す模式図である。
【図９】本発明の第１の実施形態に係る照明装置の発光部に設けられた導光板の中で複数に分岐された導光片の先端にそれぞれ所定の深さの円柱形状から成る凹部が形成されている導光板を示す模式図であり、（ａ）は導光板の主面を示す模式図、（ｂ）は導光板の先端を示す模式図である。
【図１０】本発明の第１の実施形態に係る照明装置の発光部に設けられた導光板の中で複数に分岐された導光片の先端にそれぞれ所定の深さの円錐形状から成る凹部が形成されている導光板を示す模式図であり、（ａ）は導光板の主面を示す模式図、（ｂ）は導光板の先端を示す模式図である。
【図１１】本発明の第１の実施形態に係る照明装置の発光部に設けられた導光板の中で複数に分岐された導光片の先端がそれぞれ台形台形状に形成されている導光板を示す模式図であり、（ａ）は導光板の主面を示す模式図、（ｂ）は導光板の先端を示す模式図である。
【図１２】本発明の第１の実施形態に係る照明装置の発光部に設けられた導光板の中で複数に分岐された導光片の先端がそれぞれ円錐台形状に形成されている導光板を示す模式図であり、（ａ）は導光板の主面を示す模式図、（ｂ）は導光板の先端を示す模式図である。
【図１３】本発明の第１の実施形態に係る照明装置の十字状に４つに分岐された部分の先端がそれぞれ台形形状となるように形成された複数の導光板を組み合わせて設けた発光部と筐体部の一部を示す斜視図である。
【図１４】本発明の第１の実施形態に係る照明装置の十字状に設けられた４つの先端がそれぞれ円弧状になるように形成された複数の導光板を組み合わせて設けた発光部と筐体部の一部を示す斜視図である。
【図１５】本発明の第１の実施形態に係る照明装置の発光部に設けられ応用例に相当する導光板の断面を示す模式図であり、（ａ）は導光板の端部を隣接する導光板の端部に接続することで内部に空間を設けた三角柱形状に組み合わせた複数の導光板の断面を示す模式図、（ｂ）は内部に空間を設けた三角柱形状に一体成型された導光板の断面を示す模式図、（ｃ）は湾曲した導光板の端部を隣接する湾曲した導光板の端部に接続することで円筒形状に組み合わせた複数の湾曲した導光板の断面を示す模式図、（ｄ）は円筒形状に一体成型された導光板の断面を示す模式図、（ｅ）は十字形状に導光板を組み合わせた複数の導光板の断面を示す模式図、（ｆ）は十字形状に一体成型された導光板の断面を示す模式図である。
【図１６】本発明の第１の実施形態に係る照明装置を示す要部断面図であり、（ａ）及び（ｂ）は変形例の導光部を配設した照明装置をそれぞれ示す要部断面図である。
【図１７】本発明の第１の実施形態に係る照明装置の筐体部の受電部材を示す斜視図であり、（ａ）はソケットを備えた受電部材を示す斜視図、（ｂ）は口金を備えた受電部材を示す斜視図である。
【図１８】本発明の第２の実施形態に係る照明装置を示す斜視図であり、（ａ）は照明装置の各構成を透過させない状態で示す斜視図、（ｂ）は照明装置の一部の構成を透過させた状態で示す斜視図である。
【図１９】本発明の第２の実施形態に係る照明装置を示す要部断面図である。
【図２０】本発明の第３の実施形態に係る照明装置を示す斜視図であり、（ａ）は照明装置の各構成を透過させない状態で示す斜視図、（ｂ）は照明装置の一部の構成を透過させた状態で示す斜視図である。
【図２１】本発明の第３の実施形態に係る照明装置の発光部に配設され先端が複数に分岐された導光板及び該導光板に隣接して設けられる光源を示す模式図であり、（ａ）は導光板と光源を導光板の主面から示す模式図、（ｂ）は凹状のパターンが対向する主面に対面同一に形成されている導光板の中央の分岐部と光源を断面図で示す模式図である。
【図２２】本発明の第３の実施形態に係る照明装置の発光部に配設され先端が複数に分岐された導光板及び該導光板に隣接して設けられる光源を示す模式図であり、（ａ）は導光板と光源を導光板の主面から示す模式図、（ｂ）は凹状のパターンが対向する主面に対面非同一に形成されている導光板の中央の分岐部と光源を断面図で示す模式図である。
【図２３】本発明の第３の実施形態に係る照明装置の発光部に配設され先端が複数に分岐された導光板及び該導光板に隣接して設けられる光源を示す模式図であり、（ａ）は導光板と光源を導光板の主面から示す模式図、（ｂ）は凹状のパターンが入射面から先端に向かって段階的に深くなるように形成されている導光板の中央の分岐部と光源を断面図で示す模式図である。
【図２４】本発明の第４の実施形態に係る照明装置を示す斜視図であり、（ａ）は照明装置の各構成を透過させない状態で示す斜視図、（ｂ）は照明装置の一部の構成を透過させた状態で示す斜視図である。
【図２５】本発明の第４の実施形態に係る照明装置を構成毎に分解して示す斜視図である。
【図２６】本発明の第５の実施形態に係る照明装置を示す斜視図であり、（ａ）は照明装置の各構成を透過させない状態で示す斜視図、（ｂ）は照明装置の一部の構成を透過させた状態で示す斜視図である。
【図２７】本発明の第５の実施形態に係る照明装置の発光部と筐体部の一部を示す斜視図である。
【図２８】本発明の第５の実施形態に係る照明装置の発光部の変形例と筐体部の一部を示す斜視図である。
【発明を実施するための形態】
【０００９】
以下、本発明の照明装置に係る好適な実施形態について、図面を参照しながら説明する。なお、本発明の照明装置は、以下の記述に限定されるものではなく、本発明の要旨を逸脱しない範囲において、適宜変更可能である。
【００１０】
また、以下の説明においては、最初に本発明の第１の実施形態に係る照明装置１について図１乃至図１７を参照しながら説明する。次に本発明の第２の実施形態に係る照明装置２について図１８及び図１９を参照しながら説明する。次に本発明の第３の実施形態に係る照明装置３について図２０乃至図２３を参照しながら説明する。次に本発明の第４の実施形態に係る照明装置４について図２４及び図２５を参照しながら説明する。次に本発明の第５の実施形態に係る照明装置５について図２６乃至図２８を参照しながら説明する。次に本発明の各実施形態に係る照明装置の発光部を構成する導光板及び導光部を構成する導光部材の製造方法について説明する。最後に本願発明に係る第１乃至第５の実施形態に係る照明装置１乃至照明装置５の構成と主な作用効果について請求項毎に説明する。
【００１１】
［第１の実施形態］
以下、本発明の第１の実施形態の照明装置１について、図１乃至図１７を参照しながら、具体的に説明する。
【００１２】
第１の実施形態の照明装置１は、図１に示すように、発光部１０、導光部２０、及び筐体部３０から構成される。以下、照明装置１の各構成について順に説明する。
【００１３】
先ず、第１の実施形態の照明装置１を構成する発光部１０の構成について説明する。発光部１０は、導光板又は発光体を設け光を発する。この様な発光部１０は、図２に示すように、例えば、光源１１、基板１２、導光板１３、及び導光板１４から構成される。以下、発光部１０の各構成について順に説明する。
【００１４】
発光部１０の光源１１は、例えば、白色で発光する発光ダイオード（ＬＥＤ：Ｌｉｇｈｔ  Ｅｍｉｔｔｉｎｇ  Ｄｉｏｄｅ）から成る。より具体的には、ＬＥＤには、該ＬＥＤの色温度が例えば３０００ケルビン程度の昼光色、又は６０００ケルビン程度の冷白色のものを用いる。ここで、図２に示すように、一例として、十字状に組み合わされた導光板１３及び導光板１４の入射面１３ｆ及び入射面１４ｆに沿って、１０個の表面実装型のＬＥＤを十字状に配列している。なお、光源１１は、白色のＬＥＤに限定されることはなく、例えば白色、赤色、橙色、黄色、緑色、青色、藍色、又は紫色のいずれかの色若しくはそれらの色の組み合わせから成るＬＥＤで構成しても良い。紫外域の光を発するＬＥＤで構成しても良い。同様に、光源１１は、ＬＥＤに限定されることはなく、例えば有機発光ダイオード、蛍光管、冷陰極管、又はネオン管で構成しても良い。
【００１５】
発光部１０の基板１２は、光源１１を所定の配列で実装するための部材である。この様な基板１２には、例えば、加工性に優れたガラエポ基板を用いる。また、基板１２の裏面１２ａが、後述する筐体部３０の受電部材３１の受電部材一面３１ａに、保持部材３２を介して、導光板１３及び導光板１４と共に着脱可能に固定されている。なお、基板１２を、例えばネジから成る別個の固定部材を用いて、受電部材３１の受電部材一面３１ａに対して独立して着脱可能に保持する構成としても良い。
【００１６】
発光部１０の導光板１３及び導光板１４は、入射された光源１１の光を導出させるための発光部材である。ここで、導光板１３及び導光板１４については、先ず発光部１０に設けられる導光板の基本的な仕様について図２を参照しながら説明する。次に発光部１０に設けられる導光板の基本的な光学特性について図４を参照しながら説明する。次に発光部１０に設けられる導光板の複数に分岐された導光片の形状及び光学特性について図５乃至図１２を参照しながら説明する。さらに発光部１０の代表的な変形例について図１３及び図１４を参照しながら説明する。最後に発光部１０に設けられる導光板の代表的な応用例について図１５を参照しながら説明する。
【００１７】
先ず、発光部１０に設けられる導光板の基本的な仕様について、図２を参照しながら説明する。
【００１８】
発光部１０に設けられる導光板の基本的な仕様に関し、発光部１０は、例えば導光板１３及び導光板１４を十字状に組み合わせて構成されている。また、導光板１３及び導光板１４は、それぞれ例えばアクリル樹脂板から成る。なお、導光板１３及び導光板１４は、無色の樹脂板に限定されることは無く、着色された樹脂板を用いても良い。また、導光板１３及び導光板１４は、例えば可視域の光を照射されることにより拡散光を発する微粒子状の拡散部材を添加した樹脂板を用いても良い。同様に、導光板１３及び導光板１４は、例えば紫外域や可視域の光を照射されることにより蛍光を発する蛍光剤を塗布又は添加した樹脂板を用いても良い。また、導光板１３及び導光板１４には、それぞれ防水、防汚、及び防塵等の機能を有した図示せぬシリコーンコーティング剤又は硝子コーティング剤を塗布、もしくは防水、防汚、及び防塵等の機能を有した図示せぬ透明樹脂を被覆しても良い。
【００１９】
また、発光部１０に設けられる導光板の基本的な仕様に関し、導光板１３及び導光板１４は、所定の形状に形成されている。具体的には、導光板１３は、導光板１３の先端が、分岐部１３ａ、分岐部１３ｂ、分岐部１３ｃ、及び分岐部１３ｄの４つに分岐されている。また、導光板１３は、分岐部１３ｂ及び分岐部１３ｃの先端１３ｇの長さが、分岐部１３ａ及び分岐部１３ｄの先端１３ｇ'の長さよりも、長くなるように形成されている。さらに、導光板１３は、分岐部１３ａと分岐部１３ｂとの間に形成された切欠部１３ｅと、分岐部１３ｃと分岐部１３ｄとの間に形成された切欠部１３ｎとの深さが、略等しくなるように形成されている。また、導光板１３は、切欠部１３ｍの深さが、左右に隣接して形成された切欠部１３ｅ及び切欠部１３ｎの深さよりも、深くなるように形成されている。
【００２０】
同様に、発光部１０に設けられる導光板の基本的な仕様に関し、導光板１３に挿入されて組み合わされる導光板１４は、導光板１３と同様に、該導光板１４の先端が、分岐部１４ａ、分岐部１４ｂ、分岐部１４ｃ、及び分岐部１４ｄの４つに分岐されている。また、導光板１４は、導光板１３と同様に、分岐部１４ｂ及び分岐部１４ｃの先端１４ｇの長さが、分岐部１４ａ及び分岐部１４ｄの先端１４ｇ'の長さよりも、長くなるように形成されている。さらに、導光板１４は、導光板１３と同様に、分岐部１４ａと分岐部１４ｂとの間に形成された切欠部１４ｅと、分岐部１４ｃと分岐部１４ｄとの間に形成された切欠部１４ｎとの深さが、略等しくなるように形成されている。また、導光板１４は、導光板１３と同様に、切欠部１４ｍの深さが、左右に隣接して形成された切欠部１４ｅ及び切欠部１４ｎの深さよりも、浅くなるように形成されている。また、導光板１３の切欠部１３ｍと、導光板１４の入射面１４ｆの中央に設けられた接合部１４ｊが接合するように、導光板１３に対して導光板１４が挿入されている。なお、切欠部１３ｍと接合部１４ｊを接合させた時に、導光板１３の入射面１３ｆと導光板１４の入射面１４ｆが同一平面上に位置するように、導光板１３及び導光板１４が形成されている。
【００２１】
次に、発光部１０に設けられる導光板の基本的な光学特性について、図４を参照しながら説明する。
【００２２】
発光部１０に設けられる導光板の基本的な光学特性に関し、図４では、導光板１３及び導光板１４の構成を簡略化した導光板１６と、該導光板１６の入射面１６ｆに隣接した長方形状の光源１５を、模式的に示している。ここで、導光板１６の入射面１６ｆから入射された光源１５の光の一部は、例えば４つに分岐した導光片１６ａ乃至導光片１６ｄの間にそれぞれ形成された３つの切欠部１６ｅ乃至切欠部１６ｎにより、それぞれ広角に反射させることができる。
【００２３】
ここで、発光部１０に設けられる導光板の基本的な光学特性に関し、切欠部１６ｅ乃至切欠部１６ｎで広角に反射された光は、導光片１６ａに対向して設けられた一側面１６ｔと他側面１６ｕ、導光片１６ｂに対向して設けられた一側面１６ｐと他側面１６ｓ、導光片１６ｃに対向して設けられた一側面１６ｊと他側面１６ｋ、又は導光片１６ｄに対向して設けられた一側面１６ｈと他側面１６ｉの間で多重反射する。なお、切欠部１６ｅ乃至切欠部１６ｎで広角に反射された光は、導光片１６ａ乃至導光片１６ｄにそれぞれ対向して設けられた一主面１６ｖと他主面１６ｑの間でも多重反射する。また、導光板１６の切欠部１６ｍの深さを、左右に隣接して形成された切欠部１６ｅ及び切欠部１６ｎの深さよりも深くなるように形成すると、切欠部１６ｍで広角に反射した光が導光片１６ａ及び導光片１６ｄに到達し易い。
【００２４】
また、発光部１０に設けられる導光板の基本的な光学特性に関し、従来の導光板の様に単純な矩形状から形成されている導光板の場合、導光板の入射面から入射して直進した光の多くは、直進して先端から放出される。しかし、本願発明に係る導光板１６の様に、例えば４つに分岐された形状から成る場合、導光板１６の入射面１６ｆから入射された光の一部は、導光片１６ａに対向して設けられた一側面１６ｔと他側面１６ｕ、導光片１６ｂに対向して設けられた一側面１６ｐと他側面１６ｓ、導光片１６ｃに対向して設けられた一側面１６ｊと他側面１６ｋ、又は導光片１６ｄに対向して設けられた一側面１６ｈと他側面１６ｉから導出される。なお、導光板１６の入射面１６ｆから入射された光の一部は、導光片１６ａ乃至導光片１６ｄにそれぞれ対向して設けられた一主面１６ｖと他主面１６ｑの間からも導出される。
【００２５】
さらに、発光部１０に設けられる導光板の基本的な光学特性に関し、導光板１６に入射した光は、導光板１６の各面の間で全方位に反射することにより、例えば先端１６ｇ又は先端１６ｇ'に斜入射で照射された後、該先端１６ｇ又は先端１６ｇ'から放出されずに入射面１６ｆ側に反射される。したがって、本願発明に係る導光板１６では、該導光板１６の入射面１６ｆから入射した光が、直進して先端１６ｇ又は先端１６ｇ'から放出される割合を、大幅に減少させることができる。
【００２６】
次に、発光部１０に設けられる導光板の複数に分岐された導光片の形状及び光学特性について、図５乃至図１２を参照しながら説明する。
【００２７】
発光部１０に設けられる導光板の複数に分岐された導光片の形状及び光学特性に関し、図５に示す導光板１７ａは複数に分岐された導光片１７ａ'の先端の外側に向かって曲面が形成され、図６に示す導光板１７ｂは複数に分岐された導光片１７ｂ'の先端の内側に向かって曲面が形成されている。また、図７に示す導光板１７ｃは、複数に分岐された導光片１７ｃ'の先端の内側に向かって傾斜面が形成されている。なお、図７に示す導光板１７ｃの導光片１７ｃ'については、該導光片１７ｃ'の先端の外側に向かって傾斜面を形成しても良い。また、図８に示す導光板１７ｄは、複数に分岐された導光片１７ｄ'の先端が凹状に形成されている。具体的には、導光板１７ｄの導光片１７ｄ'の先端は、例えば両側から中心に向かって凹状になる様に傾斜面を設けている。この様な導光板１７ａ乃至導光板１７ｄの各導光片は、先端部分が特殊な形状に加工されていることにより、デザイン性に優れ、且つ視認する角度による光の強度分布の差を抑制することができる。また、導光板１７ａ乃至導光板１７ｄの各導光片は、先端部分で光が乱反射することにより、該光が各主面で多重反射し易くなる。したがって、導光板１７ａ乃至導光板１７ｄの各導光片の先端部分から外部に放出されてしまう光の割合が減少し、各主面からの光の取り出し効率を向上させることができる。なお、導光板１７ａ乃至導光板１７ｄの各導光片の先端部分から外部に放出される光は、それぞれ照明装置１に対して外向き、内向き、及び内向きで斜めに導出される。
【００２８】
また、発光部１０に設けられる導光板の複数に分岐された導光片の形状及び光学特性に関し、図９に示す導光板１７ｅは複数に分岐された導光片１７ｅ'の先端にそれぞれ所定の深さの円柱形状から成る凹部が形成され、図１０に示す導光板１７ｆは導光片１７ｆ'の先端にそれぞれ所定の深さの円錐形状から成る凹部が形成されている。この様な導光板１７ｅ及び導光板１７ｆは、導光板１７ａ乃至導光板１７ｄと同様に、各導光片の先端部分が特殊な形状に加工されていることにより、デザイン性に優れ、且つ視認する角度による光の強度分布の差を抑制することができる。また、導光板１７ｅ及び導光板１７ｆは、例えばボール盤を用いて、導光板の複数に分岐された導光片の先端に円柱形状又は円錐形状から成る凹部を形成する際に、該凹部の表面精度を粗くすることにより、該凹部の内周面で光を拡散反射させることができる。したがって、導光板１７ｅ及び導光板１７ｆにおける光の取り出し効率を、向上させることができる。
【００２９】
同様に、発光部１０に設けられる導光板の複数に分岐された導光片の形状及び光学特性に関し、図１１に示す導光板１７ｇは複数に分岐された導光片１７ｇ'の先端がそれぞれ台形台形状に形成され、図１２に示す導光板１７ｈは導光片１７ｈ'の先端がそれぞれ円錐台形状に形成されている。この様な導光板１７ｇ及び導光板１７ｈは、導光板１７ａ乃至導光板１７ｆと同様に、各導光片の先端部分が特殊な形状に加工されていることにより、デザイン性に優れ、且つ視認する角度による光の強度分布の差を抑制することができる。また、導光板１７ｇ及び導光板１７ｈには、例えばフライス盤を用いてエンドミル加工を施すことにより、導光板の複数に分岐された導光片の先端に、台形台形状又は円錐台形状から成る凸部が形成されている。この様に、導光板１７ｇ及び導光板１７ｈの各導光片の先端部分に、台形台形状又は円錐台形状から成る凸部を形成することにより、直交する角の部分が取り除かれ、導光板の内部で光が多重反射し易くなる。したがって、導光板１７ｇ及び導光板１７ｈにおける光の取り出し効率を、向上させることができる。また、導光板１７ｇ及び導光板１７ｈの各導光片の先端部分は、台形台形状又は円錐台形状から成る略レンズ状で形成されているため、該先端部分から外部に放出される光は略平行光となる。また、図５乃至図１２を参照しながら上述した発光部１０に設けられる導光板の複数に分岐された導光片の形状及び光学特性については、後述する後述する第２、第３，及び第５の実施形態の照明装置にも適用できる。
【００３０】
さらに、発光部１０の代表的な変形例について、図１３及び図１４を参照しながら説明する。
【００３１】
発光部１０の代表的な変形例に関し、図１３に示す発光部４０は、十字状に４つに分岐された部分がそれぞれ台形形状となるように形成された導光板４１及び導光板４２を組み合わせて設けている。ここで、導光板４１の先端は、２つに分岐されている。さらに、導光板４１の先端は、照明装置１の周辺から中心に向かって低くなるように、筐体部３０に対して傾斜していることで、台形形状に形成されている。また、導光板４１に挿入されて組み合わされる導光板４２は、導光板４１と同様の形状である。また、図１４に示す発光部５０は、十字状に設けられた４つの先端がそれぞれ円弧状になるように形成された導光板５１及び導光板５２を組み合わせて設けている。ここで、導光板５１の先端は、２つに分岐されている。さらに、導光板５１の先端５１は、照明装置１の周辺から中心に向かってそれぞれ高くなるように、筐体部３０に対して湾曲していることで、それぞれ円弧状に形成されている。また、導光板５１に挿入されて組み合わされる導光板５２は、該導光板５２の先端が、照明装置１の周辺から中心に向かって湾曲していることで、半円形状に形成されている。
【００３２】
最後に、発光部１０に設けられる導光板の代表的な応用例について、図１５を参照しながら説明する。
【００３３】
発光部１０に設けられる導光板の代表的な応用例に関し、図１５（ａ）に、導光板６１の端部を隣接する導光板６１の端部に接続することで、内部に空間を設けた三角柱形状に組み合わせた３つの導光板６１を示している。同様に、図１５（ｂ）に、内部に空間を設けた三角柱形状になるように、例えば成型加工により一体成型された導光板６２を示している。なお、導光板は、図１５（ａ）及び図１５（ｂ）に示すように、内部に空間を設けた三角柱形状に限定されることはなく、例えば内部に空間を設けた四角柱や五角柱等から成る多角柱としても良い。また、図１５（ｃ）に、湾曲した導光板６３の端部を隣接する湾曲した導光板６３の端部に接続することで、円筒形状に組み合わせた３つの湾曲した導光板６３を示している。同様に、図１５（ｄ）に、円筒形状になるように、例えば成型加工により一体成型された導光板６４を示している。なお、導光板は、図１５（ｃ）及び図１５（ｄ）に示すように、断面が円状から成る円筒形状に限定されることはなく、例えば断面が楕円状から成る円筒形状としても良い。
【００３４】
また、発光部１０に設けられる導光板の代表的な応用例に関し、図１５（ｅ）に、導光板６５を組み合わせて十字形状に設けた４つの導光板６５を示している。同様に、図１５（ｆ）に、十字形状になるように、例えば成型加工により一体成型された導光板６６を示している。なお、導光板は、図１５（ｅ）及び図１５（ｆ）に示すように、中心から４つの枝部を突出させて十字形状にしたものに限定されることはなく、例えば中心から３つ又は５つ等の複数の枝部を突出させたものとしても良い。なお、図１５の各図には図示していないが、導光板を、例えば内部に空間を設けず、断面が多角形状や円形状又は楕円形状等になるように、成型加工により一体成型しても良い。また、図１５を参照しながら上述した発光部１０に設けられる導光板の応用例については、後述する第２、第３，及び第５の実施形態の照明装置にも適用できる。なお、図示していないが、発光部１０、４０、又は５０の一部を、導光部２０から突出して設ける構成としても良い。
【００３５】
次に、第１の実施形態の照明装置１を構成する導光部２０について説明する。導光部２０は、発光部１０の周囲を囲うように配設され、光源２１と該光源２１から光が入射される導光部材２３と該導光部材２３から導出される光を所定の方向に反射させる反射部材２４とを設けている。この様な導光部２０は、図２及び図３に示すように、例えば、光源２１、基材２２、導光部材２３、及び反射部材２４から構成される。以下、導光部２０の各構成について順に説明する。
【００３６】
導光部２０の光源２１は、例えば、白色で発光する発光ダイオード（ＬＥＤ：Ｌｉｇｈｔ  Ｅｍｉｔｔｉｎｇ  Ｄｉｏｄｅ）から成る。この様な光源２１は、発光部１０を構成する光源１１と同様の仕様である。ここで、図３においては、発光面が垂直に設けられた光源２１から、後述する導光部材２３の入射面２３ａに向かって、光が水平方向に導入する構成である。しかしながら、この様な構成に限定されることはなく、例えば、発光面が下方に位置するように光源２１を設けることにより、導光部材２３の上部から光を導入する構成としても良い。
【００３７】
導光部２０の基材２２は、例えば、プラスチックスから成り、外周面が１２面体で且つ内周面が円周から構成される円筒形状から形成されている。ここで、図２では、基材２２の外周面の各面に、光源２１が３０°毎に合計１２個配設されている。具体的には、例えば、基材２２の外周面の各面に、ダイボンド用の接着剤を滴下した上で、光源２１をそれぞれ挿入して接着固定する。また、光源２１のリードを、基材２２の外周面の各面に設けられた配線パターンに半田付けすることにより、各光源２１を基材２２に固定しても良い。また、基材２２は、図３に示すように、後述する筐体部３０の内枠材３６の内枠材上部３６ａに、例えば図示せぬネジによりネジ留めされている。なお、基材２２を、該基材２２の内周面に形成されたネジ溝に、前述した筐体部３０の保持部材３２の外周面に形成された図示せぬネジ山を係合させることにより、保持部材３２に固定しても良い。
【００３８】
導光部２０の導光部材２３は、例えば、アクリル樹脂板から成り、内部に空間を有した円錐台形状から形成されている。なお、導光部材２３は、無色の樹脂板に限定されることは無く、着色された樹脂を用いて形成しても良い。また、導光部材２３は、例えば可視域の光を照射されることにより拡散光を発する微粒子状の拡散部材を添加した樹脂を用いて形成しても良い。同様に、導光部材２３は、例えば紫外域や可視域の光を照射されることにより蛍光を発する蛍光剤を塗布又は添加した樹脂を用いて形成しても良い。また、導光部材２３には、防水、防汚、及び防塵等の機能を有した図示せぬシリコーンコーティング剤又は硝子コーティング剤を塗布、もしくは防水、防汚、及び防塵等の機能を有した図示せぬ透明樹脂を被覆しても良い。
【００３９】
また、導光部２０の導光部材２３に関し、該導光部材２３は、例えば、図２に示すように内部に空間を有した円錐台形状から形成され、図３に示すように一定の厚みを有している。ここで、導光部材２３の一端に形成され内周面から成る入射面２３ａは、基材２２に配設された光源２１と対向し、該光源２１の光が入射される。また、導光部材２３の入射面２３ａから入射された光源２１の光は、導光部材２３の側面２３ｂ又は下面２３ｃから導出される。また、導光部材２３の入射面２３ａに対向した下面２３ｃに隣接して、略リング状の鍔２３ｄが形成されている。なお、導光部材２３は、後述する反射部材２４に当接した状態で、例えば図示せぬ反射部材２４に設けられた鉤状のフックにより係留され、又は図示せぬネジによりネジ留め等されている。
【００４０】
また、導光部２０の導光部材２３の変形例に関し、該導光部材２３の形状を、例えば、図１６の各図に示すような形状とすることができる。具体的には、図１６（ａ）に示す導光部材２５では、該導光部材２５の入射面２５ａに対向した他端に形成された下面２５ｃが、外枠材３５の外枠材下部３５ｂ及び内枠材３６の内枠材下部３６ｂの位置に合わせて形成されている。また、図１６（ｂ）に示す導光部材２６では、該導光部材２６の入射面２６ａに対向した他端に形成された下面２６ｃが、外枠材３５の外枠材下部３５ｂ及び内枠材３６の内枠材下部３６ｂの位置から突出し、且つ半球状に形成されている。
【００４１】
導光部２０の反射部材２４は、例えばアルミニウムから成り、放物面や非球面又は楕円面から成る円錐台状に形成されている。また、反射部材２４の反射部材上部２４ａ及び反射部材下部２４ｂが、内枠材３６の内枠材上部３６ａ及び内枠材下部３６ｂに、例えばそれぞれ接着固定されている。なお、反射部材２４に、可視光領域で十分な反射率を有する金属膜を蒸着させても良い。また、反射部材２４の反射部材上部２４ａ及び反射部材下部２４ｂにそれぞれ設けられた図示せぬ鉤状のフックで、導光部材２３を係留することにより、反射部材２４に導光部材２３を固定する。なお、反射部材２４に、導光部材２３が当接した状態で、例えば図示せぬネジによりネジ留めする構成としても良い。ここで、導光部材２３から導出された光の約半分は、反射部材２４に照射され、該照射された光の大部分は照明装置１の外部に導出される。
【００４２】
次に、第１の実施形態の照明装置１を構成する筐体部３０について説明する。筐体部３０は、発光部１０及び導光部２０を保持し、該発光部１０及び該導光部２０に電力を供給する電源基板３１ｊを設けている。この様な筐体部３０は、図２及び図３に示すように、例えば、受電部材３１、保持部材３２、固定部材３３、上板材３４、外枠材３５、及び内枠材３６から構成される。以下、筐体部３０の各構成について順に説明する。
【００４３】
筐体部３０の受電部材３１は、例えばアルミニウムから成り、段差を有した円筒形状から形成されている。この様な受電部材３１の受電部材一面３１ａには、発光部１０の基板１２の裏面１２ａが係合されている。また、受電部材３１の受電部材他面３１ｂに形成された係合孔３１ｃを、室内設備に配設され交流の電圧１００ｖの電源ラインである電路部Ｔに着脱可能に嵌め込むことにより、電源基板３１ｊに電力が供給される。また、受電部材３１の外周面３１ｄに、受電部材３１の表面積を増加させて、例えば電圧１００ｖの交流を電圧２４ｖの直流に変換する際に生じた熱を効率良く放熱させる、凹凸状等から成るフィンを形成しても良い。また、受電部材３１の電源基板３１ｊは、外部から供給される電力を、発光部１０の光源１１の定格に合わせて、１００ｖから例えば２４ｖに降圧、直流の定電流への整流、整流後のパルス変調、及びノイズの除去等を行うためのものである。この様な電源基板３１ｊは、例えば変圧器、整流器、及びコンデンサ等から構成される。なお、電源基板３１ｊの構成に関し、光源部の光源に例えば蛍光管又はネオン管を用いる場合には、外部から供給される交流の電力を直流に変換せずに用いることができる。
【００４４】
また、筐体部３０の受電部材３１に関して、図１７（ａ）に示す受電部材３１に電力の供給を受けるソケットを備えた形態に限定されることはなく、例えば図１７（ｂ）に示す受電部材３１に口金３１ｋを備えて電力の供給を受けても良い。なお、口金３１ｋの直径は、例えば一般的なサイズである直径２６ｍｍである。また、口金３１ｋに換えて、コンセントに差し込んで電力の供給を受けるプラグや、発電機又は蓄電池を接続して電力の供給を受ける端子を用いても良い。ここで、図１に破線で示す室内の天井等に配設された電路部Ｔに、照明装置１の筐体部３０の受電部材３１を、着脱可能に嵌め込んで設置する。また、電路部Ｔは、交流の電圧１００Ｖの電源ラインに相当し、例えば図示せぬフックやバネ等からなる着脱機構を備えている。
【００４５】
筐体部３０の保持部材３２は、それぞれ半円盤状から成る一対の保持部材３２から構成されている。具体的には、一対の保持部材３２は、それぞれ該保持部材３２の中央に開口された溝部３２ａを、導光板１４の分岐部１４ａに設けられた係合部１４ｈに挿入して係合している。さらに、一対の保持部材３２は、それぞれ該保持部材３２の両端に形成された突起部３２ｂを、導光板１３の分岐部１３ａ及び分岐部１３ｄの下部にそれぞれ設けられた凹状の係合部１３ｈに挿入して係合している。なお、一対の保持部材３２の内周面で、それぞれ受電部材３１の外周面３１ｄに設けられた係合溝３１ｆを覆っている。
【００４６】
筐体部３０の固定部材３３は、例えばネジから成る。ここで、導光板１３に導光板１４が挿入され、且つ一対の保持部材３２がそれぞれ係合されている状態で、固定部材３３を、一対の保持部材３２にそれぞれ孔３２ｄ、及び基板１２に複数開口されたネジ孔１２ｂの順で通す。その上で、固定部材３３を、受電部材３１の受電部材一面３１ａに複数設けられたネジ孔３２ｅにネジ留めすることにより、発光部１０の導光板１３と導光板１４及び基板１２を、受電部材３１に対してそれぞれ着脱可能に保持する。また、導光板１３に導光板１４が挿入され、且つ一対の保持部材３２が係合されている状態で、受電部材３１の内周面に設けられたネジ溝３１ｅに、一対の保持部材３２の外周面から図示せぬネジをねじ込むことにより、導光板１３と導光板１４を受電部材３１に対してそれぞれ着脱可能に保持しても良い。この場合、基板１２は、例えばネジから成る固定部材を用いて、受電部材３１の受電部材一面３１ａに複数設けられたネジ孔３１ｅに直接保持する。
【００４７】
筐体部３０の上板材３４は、例えばアルミニウムから成り、円盤状に形成されている。また、上板材３４の中央には貫通孔が設けられ、該貫通孔の上板材内周面３４ｃには、受電部材３１の接合面３１ｇを係合させるためのネジ溝が形成されている。なお、上板材３４の上板材上面３４ｂに、表面積を増加させて導光部２０の光源２１及び発光部１０の光源１１でそれぞれ発生した熱を効率良く放熱させるための例えば凹凸状から成るフィンを形成しても良い。また、筐体部３０の外枠材３５は、例えばアルミニウムから成り、円筒状に形成されている。なお、外枠材３５の外枠材上部３５ａが、上板材３４の上板材下面３４ａの外周に例えば接着固定されている。また、筐体部３０の内枠材３６は、例えばアルミニウムから成り、円錐台状に形成されている。なお、内枠材３６の内枠材上部３６ａが上板材３４の上板材下面３４ａに例えばネジ留めされ、且つ該内枠材３６の内枠材下部３６ｂが外枠材３５の内周面に当接して例えばネジ留めされている。
【００４８】
以上、第１の実施形態に係る照明装置１は、スポット型や電球型など光の配光特性やデザイン性に係る仕様を自由に選択することができ、且つ装置から出射される光の配光分布が十分に平均化されており、さらに装置の下方に加えて該装置の周囲についても十分に照明できる。
【００４９】
具体的には、第１の実施形態に係る照明装置１によれば、発光部１０の導光板を複数に分岐させることで、導光板の内部で光を正反射させる側面の表面積が増加することから、該側面間で光が多重反射し易くなる。したがって、照明装置１では、導光板の先端から放出されてしまう光の割合が減少し、拡散光に変換され導光板の側面から導出される光の割合が増加することより、導光板から導出される光の配光分布を広げることができる。
【００５０】
また、第１の実施形態に係る照明装置１によれば、発光部１０に、例えば十字状に立体的に組み合わせた複数の導光板を設けている。したがって、導光板から導出された拡散光を、隣接する導光板に遮光されることなく放出させることができる。
【００５１】
同様に、第１の実施形態に係る照明装置１によれば、発光部１０の導光板の先端を特殊な形状に形成することが可能である。したがって、照明する対象物や空間に合わせ、照明装置１の光の指向性や強度分布を最適化することができる。
【００５２】
さらに、第１の実施形態に係る照明装置１によれば、導光部２０が、発光部１０の周囲を囲うように配設され、光源２１から光が入射される導光部材２３と該導光部材２３から導出された光を所定の方向に反射させる反射部材２４とを設けている。したがって、発光部１０の周囲を囲うように配設された導光部２０の導光部材２３から導出される光により、照明装置１から出射される光の配光分布を十分に平均化することができる。さらに、導光部２０の導光部材２３の下面２３ｃや鍔２３ｄから導出される光により、照明装置１の下方に加えて該照明装置１の周囲についても十分に照明できる。
【００５３】
また、第１の実施形態に係る照明装置１によれば、導光部２０の反射部材２４に、導光部材２３が当接した状態で、例えば図示せぬ反射部材２４に設けられた鉤状のフックにより係留され、又は図示せぬネジによりネジ留め等されている。したがって、導光部材２３から導出された光の約半分は、反射部材２４で反射され、該反射された光の大部分は照明装置１の外部に導出されることから、光の取り出し効率を向上させることができる。
【００５４】
［第２の実施形態］
以下、本発明の第２の実施形態に係る照明装置２について、図１８及び図１９を参照しながら、具体的に説明する。
【００５５】
なお、本発明の第２の実施形態に係る照明装置２は、図１８に示すように、第１の実施形態の照明装置１を構成する導光部２０の導光部材２３に、凹状又は凸状のパターンがそれぞれ形成されていることに特徴を有している。また、それ以外の第２の実施形態に係る構成は、第１の実施形態で述べた構成と同様である。具体的には、第２の実施形態の照明装置２は、図１８に示すように、第１の実施形態の照明装置１と同様の仕様から成る発光部１０及び筐体部３０と、第２の実施形態の照明装置２に特有の導光部７０から構成される。そこで、第２の実施形態においては、第１の実施形態とは異なる構成である導光部７０について中心に説明する。なお、図示していないが、発光部１０の一部を、導光部７０から突出して設ける構成としても良い。
【００５６】
第２の実施形態の照明装置２を構成する導光部７０について説明する。導光部７０は、例えば、光源７１、基材７２、導光部材７３、及び反射部材７４から構成される。なお、導光部７０の光源７１、基材７２、及び反射部材７４は、導光部２０の光源２１、基材２２、及び反射部材２４と、同様の構成から成る。また、導光部７０の導光部材７３の外形形状は、導光部２０の導光部材２３の外形形状と、同様である。一方、図１９に示すように、導光部７０の導光部材７３には、導光部２０の導光部材２３と異なり、拡散光を導出する凹状のパターン、凸状のパターン、又は凹状及び凸状のパターンから成るパターンが、マトリクス状に形成されている。具体的には、導光部材７３の一側面７３ｖにはパターン７３ｗが形成され、導光部材７３の他側面７３ｑにはパターン７３ｒが形成されている。
【００５７】
また、導光部７０の導光部材７３に関し、該導光部材７３に形成されたパターン７３ｗ及びパターン７３ｒの密度が十分に高ければ、該パターン７３ｗ及びパターン７３ｒで発生した複数の拡散光は略均一な面光源として、導光部材７３の一側面７３ｖ及び他側面７３ｑから導出される。また、一側面７３ｖに複数形成されたパターン７３ｗと他側面７３ｑに複数形成されたパターン７３ｒが対面同一に形成されている場合よりも、半ピッチずれて形成されている場合の方が、視認者の目Ｅで視認される拡散光が発生するパターンの数が増加するため、導光部材７３における光の明暗の差が小さくなる。
【００５８】
同様に、導光部７０の導光部材７３に関し、光源７１の光の強度が導光部材７３の入射面７３ａから先端に対して相対的に低下することから、パターンの深さを導光部材７３の入射面７３ａから離間する毎に段階的に深く形成することにより発生する拡散光の強度を上げて、複数のパターンで発生した拡散光の強度を平均化させることができる。同様に、パターンのピッチを、導光部材７３の入射面７３ａから離間する毎に段階的に密になるように形成することにより、拡散光の強度を平均化させる構成としても良い。
【００５９】
以上、第２の実施形態に係る照明装置２は、第１の実施形態に係る照明装置１と同様に、スポット型や電球型など光の配光特性やデザイン性に係る仕様を自由に選択することができ、且つ装置から出射される光の配光分布が十分に平均化されており、さらに装置の下方に加えて該装置の周囲についても十分に照明できる。
【００６０】
具体的には、第２の実施形態に係る照明装置２によれば、第１の実施形態に係る照明装置１と同様に、発光部１０の導光板を複数に分岐させることで、導光板の内部で光を正反射させる側面の表面積が増加することから、該側面間で光が多重反射し易くなる。したがって、照明装置２では、導光板の先端から放出されてしまう光の割合が減少し、拡散光に変換され導光板の側面から導出される光の割合が増加することより、導光板から導出される光の配光分布を広げることができる。
【００６１】
また、第２の実施形態に係る照明装置２によれば、第１の実施形態に係る照明装置１と同様に、発光部１０に、例えば十字状に立体的に組み合わせた複数の導光板を設けている。したがって、導光板から導出された拡散光を、隣接する導光板に遮光されることなく放出させることができる。
【００６２】
同様に、第２の実施形態に係る照明装置２によれば、第１の実施形態に係る照明装置１と同様に、発光部１０の導光板の先端を特殊な形状に形成することが可能である。したがって、照明する対象物や空間に合わせ、照明装置２の光の指向性や強度分布を最適化することができる。
【００６３】
さらに、第２の実施形態に係る照明装置２によれば、第１の実施形態に係る照明装置１と同様に、導光部７０が、発光部１０の周囲を囲うように配設され、光源７１から光が入射される導光部材７３と該導光部材７３から導出された光を所定の方向に反射させる反射部材７４とを設けている。したがって、発光部１０の周囲を囲うように配設された導光部７０の導光部材７３から導出される光により、照明装置２から出射される光の配光分布を十分に平均化することができる。さらに、導光部７０の導光部材７３の下面７３ｃや鍔７３ｄから導出される光により、照明装置２の下方に加えて該照明装置２の周囲についても十分に照明できる。
【００６４】
また、第２の実施形態に係る照明装置２によれば、第１の実施形態に係る照明装置１と同様に、導光部７０の反射部材７４に、導光部材７３が当接した状態で、例えば図示せぬ反射部材７４に設けられた鉤状のフックにより係留され、又は図示せぬネジによりネジ留め等されている。したがって、導光部材７３から導出された光の約半分は、反射部材７４で反射され、該反射された光の大部分は照明装置２の外部に導出されることから、光の取り出し効率を向上させることができる。
【００６５】
さらに、第２の実施形態に係る照明装置２によれば、第１の実施形態に係る照明装置１と異なり、導光部７０の導光部材７３に、拡散光を導出する凹状のパターン、凸状のパターン、又は凹状及び凸状のパターンから成るパターンがマトリクス状に形成されている。したがって、導光部７０の導光部材７３に形成された上記パターンの密度が十分に高ければ、該パターンで発生した複数の拡散光は、略均一な面光源として導光部材７３から導出される。ここで、導光部７０の導光部材７３に形成されたパターンで発生した拡散光は、視認者の目に眩しく感じることが無く、該視認者に自然に近い優しい光として視認させることができる。
【００６６】
［第３の実施形態］
以下、本発明の第３の実施形態に係る照明装置３について、図２０及び図２３を参照しながら、具体的に説明する。
【００６７】
なお、本発明の第３の実施形態に係る照明装置３は、図２０に示すように、第１の実施形態の照明装置１を構成する発光部１０の導光板１３及び導光板１４に、凹状又は凸状のパターンがそれぞれ形成されていることに特徴を有している。また、それ以外の第３の実施形態に係る構成は、第２の実施形態で述べた構成と同様である。具体的には、第３の実施形態の照明装置３は、図２０に示すように、第２の実施形態の照明装置２と同様の仕様から成る導光部７０及び筐体部３０と、第３の実施形態の照明装置３に特有の発光部８０から構成される。そこで、第３の実施形態においては、第２の実施形態とは異なる構成である発光部８０について中心に説明する。なお、図示していないが、発光部８０の一部を、導光部７０から突出して設ける構成としても良い。
【００６８】
第３の実施形態の照明装置３を構成する発光部８０の構成について説明する。発光部８０は、例えば、光源８１、基板８２、導光板８３、及び導光板８４から構成される。ここで、発光部８０の光源８１及び基板８２は、発光部１０の光源１１及び基板１２と同様の構成である。また、発光部８０の導光板８３及び導光板８４は、発光部１０の導光板１３及び導光板１４と同様の材質及び形状であるが、凹状のパターン又は凸状のパターンが一面以上に形成されている。以下、発光部８０の各導光板に形成されたパターンについて説明する。
【００６９】
発光部８０の各導光板に形成されたパターンに関し、図２０に示す導光板８３及び導光板８４には、拡散光を導出する凹状のパターン、凸状のパターン、又は凹状及び凸状のパターンから成るパターンが、それぞれマトリクス状に形成されている。なお、パターンの間隔は、例えば１ｍｍから６ｍｍである。ここで、図２１に示す導光板８５は、導光板８３及び導光板８４を簡略化したものに相当する。また、図２２に示す導光板８６や図２３に示す導光板８７は、導光板８３及び導光板８４の変形例に相当する。以下、導光板８５乃至導光板８７に形成されたパターンに係る光学特性について、図２１乃至図２３を参照しながら説明する。なお、図２１では、導光板８３及び導光板８４の構成を簡略化した導光板８５と、該導光板８５の入射面８５ｆに隣接した長方形状の光源１５を、模式的に断面図で示している。また、図２１乃至図２３の各図（ｂ）では、発明の理解を容易にするため、各導光板の主面に対するパターンの間隔を粗く図示している。同様に、図２１乃至図２３の各図（ａ）では、発明の理解を容易にするため、各導光板の主面に対するパターンの図示を省略している。
【００７０】
また、発光部８０の各導光板に形成されたパターンに関し、図２１（ｂ）において、導光板８５に形成されたパターン８５ｗ及びパターン８５ｒの密度が十分に高ければ、該パターン８５ｗ及びパターン８５ｒで発生した複数の拡散光は略均一な面光源として、導光板８５の一主面８５ｖ及び他主面８５ｑから導出される。また、一主面８５ｖのパターン８５ｗで発生した拡散光の一部と、他主面８５ｑのパターン８５ｒで発生した拡散光の大部分は、視認者の目Ｅで視認される。このため、図２１（ｂ）に示す一主面８５ｖに複数形成されたパターン８５ｗと他主面８５ｑに複数形成されたパターン８５ｒが対面同一に形成されている導光板８５よりも、図２２（ｂ）に示す一主面８６ｖに複数形成されたパターン８６ｗと他主面８６ｑに複数形成されたパターン８６ｒが半ピッチずれて形成されている導光板８６の方が、視認者の目Ｅで視認される拡散光が発生するパターンの数が増加するため、導光板８６における光の明暗の差が小さくなる。
【００７１】
同様に、発光部８０の各導光板に形成されたパターンに関し、光源１５の光の強度が導光板の入射面から先端に対して相対的に低下することから、図２３（ｂ）に示すようにパターンの深さを導光板８７の入射面８７ｆから先端８７ｇ及び先端８７ｇ'に向かって段階的に深く形成することにより発生する拡散光の強度を上げて、複数のパターンで発生した拡散光の強度を平均化させる構成としても良い。同様に、パターンのピッチを、導光板８７の入射面８７ｆから先端８７ｇ及び先端８７ｇ'に向かって段階的に密になるように形成することにより、拡散光の強度を平均化させる構成としても良い。
【００７２】
以上、第３の実施形態に係る照明装置３は、第１及び第２の実施形態に係る照明装置１及び照明装置２と同様に、スポット型や電球型など光の配光特性やデザイン性に係る仕様を自由に選択することができ、且つ装置から出射される光の配光分布が十分に平均化されており、さらに装置の下方に加えて該装置の周囲についても十分に照明できる。
【００７３】
具体的には、第３の実施形態に係る照明装置３によれば、例えば第１の実施形態に係る照明装置１と同様に、発光部８０の導光板を複数に分岐させることで、導光板の内部で光を正反射させる側面の表面積が増加することから、該側面間で光が多重反射し易くなる。したがって、照明装置３では、導光板の先端から放出されてしまう光の割合が減少し、拡散光に変換され導光板の側面から導出される光の割合が増加することより、導光板から導出される光の配光分布を広げることができる。
【００７４】
また、第３の実施形態に係る照明装置３によれば、例えば第１の実施形態に係る照明装置１と同様に、発光部８０に、例えば十字状に立体的に組み合わせた複数の導光板を設けている。したがって、導光板から導出された拡散光を、隣接する導光板に遮光されることなく放出させることができる。
【００７５】
同様に、第３の実施形態に係る照明装置３によれば、例えば第１の実施形態に係る照明装置１と同様に、発光部８０の導光板の先端を特殊な形状に形成することが可能である。したがって、照明する対象物や空間に合わせ、照明装置３の光の指向性や強度分布を最適化することができる。
【００７６】
さらに、第３の実施形態に係る照明装置３によれば、例えば第１の実施形態に係る照明装置１と同様に、導光部７０が、発光部８０の周囲を囲うように配設され、光源７１から光が入射される導光部材７３と該導光部材７３から導出された光を所定の方向に反射させる反射部材７４とを設けている。したがって、発光部８０の周囲を囲うように配設された導光部７０の導光部材７３から導出される光により、照明装置３から出射される光の配光分布を十分に平均化することができる。さらに、導光部７０の導光部材７３の下面７３ｃや鍔７３ｄから導出される光により、照明装置３の下方に加えて該照明装置３の周囲についても十分に照明できる。
【００７７】
また、第３の実施形態に係る照明装置３によれば、例えば第１の実施形態に係る照明装置１と同様に、導光部７０の反射部材７４に、導光部材７３が当接した状態で、例えば図示せぬ反射部材７４に設けられた鉤状のフックにより係留され、又は図示せぬネジによりネジ留め等されている。したがって、導光部材７３から導出された光の約半分は、反射部材７４で反射され、該反射された光の大部分は照明装置３の外部に導出されることから、光の取り出し効率を向上させることができる。
【００７８】
さらに、第３の実施形態に係る照明装置３によれば、第２の実施形態に係る照明装置２と同様に、導光部７０の導光部材７３に、拡散光を導出する凹状のパターン、凸状のパターン、又は凹状及び凸状のパターンから成るパターンがマトリクス状に形成されている。したがって、導光部７０の導光部材７３に形成された上記パターンの密度が十分に高ければ、該パターンで発生した複数の拡散光は、略均一な面光源として導光部材７３から導出される。ここで、導光部７０の導光部材７３に形成されたパターンで発生した拡散光は、視認者の目に眩しく感じることが無く、該視認者に自然に近い優しい光として視認させることができる。
【００７９】
さらに、第３の実施形態に係る照明装置３によれば、第１及び第２の実施形態に係る照明装置１及び照明装置２と異なり、発光部８０の導光板８３及び導光板８４に、拡散光を導出する凹状のパターン、凸状のパターン、又は凹状及び凸状のパターンから成るパターンがマトリクス状に形成されている。したがって、発光部８０の導光板８３及び導光板８４に形成された上記パターンの密度が十分に高ければ、該パターンで発生した複数の拡散光は、略均一な面光源として導光板８３及び導光板８４から導出される。ここで、発光部８０の導光板８３及び導光板８４に形成されたパターンで発生した拡散光は、視認者の目に眩しく感じることが無く、該視認者に自然に近い優しい光として視認させることができる。
【００８０】
［第４の実施形態］
以下、本発明の第４の実施形態に係る照明装置４について、図２４及び図２５を参照しながら、具体的に説明する。
【００８１】
なお、本発明の第４の実施形態に係る照明装置４は、図２４に示すように、第１の実施形態の照明装置１を構成する発光部１０の導光板に換えて、例えば電球を用いていることに特徴を有している。また、それ以外の第４の実施形態に係る構成は、第１の実施形態で述べた構成と同様である。具体的には、第４の実施形態の照明装置４は、図２４に示すように、第１の実施形態の照明装置１と同様の仕様から成る導光部２０と、第４の実施形態の照明装置４に特有の発光部９０及び筐体部１００から構成される。そこで、第４の実施形態においては、第１の実施形態とは異なる構成である発光部９０及び筐体部１００について中心に説明する。なお、図示していないが、発光部９０の一部を、導光部２０から突出して設ける構成としても良い。また、導光部２０に換えて、導光部７０を用いる構成としても良い。
【００８２】
第４の実施形態の照明装置４の発光部９０は、発光体９１から構成されている。該発光体９１は、電球型に相当する全体が球状に形成された電球形状や、スポット型に相当する先端が平面状に形成され側面が湾曲した樽形状、又は先端が平面状に形成され側面が延伸した円錐台若しくは円柱形状を有し、店舗等で販売され広く流通している白熱電球、蛍光灯、又はネオン管等に相当する。また、筐体部１００は、例えば、受電部材１０１、上板材１０４、外枠材１０５、及び内枠材１０６から構成される。ここで、筐体部１００の上板材１０４、外枠材１０５、及び内枠材１０６は、筐体部３０の上板材３４、外枠材３５、及び内枠材３６と、同様の構成である。また、筐体部１００の受電部材１０１には、筐体部３０の受電部材３１と異なり、口金を受けるための受電部１０１ｍが形成されている。
【００８３】
以上、第４の実施形態に係る照明装置４は、第１乃至第３の実施形態に係る照明装置１乃至照明装置３と同様に、スポット型や電球型など光の配光特性やデザイン性に係る仕様を自由に選択することができ、且つ装置から出射される光の配光分布が十分に平均化されており、さらに装置の下方に加えて該装置の周囲についても十分に照明できる。
【００８４】
具体的には、第４の実施形態に係る照明装置４によれば、例えば第１の実施形態に係る照明装置１と同様に、導光部２０が、発光部９０の周囲を囲うように配設され、光源２１から光が入射される導光部材２３と該導光部材２３から導出された光を所定の方向に反射させる反射部材２４とを設けている。したがって、発光部９０の周囲を囲うように配設された導光部２０の導光部材２３から導出される光により、照明装置４から出射される光の配光分布を十分に平均化することができる。さらに、導光部２０の導光部材２３の下面２３ｃや鍔２３ｄから導出される光により、照明装置４の下方に加えて該照明装置４の周囲についても十分に照明できる。
【００８５】
また、第４の実施形態に係る照明装置４によれば、例えば第１の実施形態に係る照明装置１と同様に、導光部２０の反射部材２４に、導光部材２３が当接した状態で、例えば図示せぬ反射部材２４に設けられた鉤状のフックにより係留され、又は図示せぬネジによりネジ留め等されている。したがって、導光部材２３から導出された光の約半分は、反射部材２４で反射され、該反射された光の大部分は照明装置４の外部に導出されることから、光の取り出し効率を向上させることができる。
【００８６】
さらに、第４の実施形態に係る照明装置４によれば、第１乃至第３の実施形態に係る照明装置１乃至照明装置３と異なり、発光部９０の発光体９１に、白熱電球、蛍光灯、又はネオン管等を用いている。したがって、店舗等で販売され広く流通し入手容易な上記の発光体９１を用いて、電球型やスポット型など光の配光特性やデザイン性に係る仕様を自由に選択することができる。
【００８７】
［第５の実施形態］
以下、本発明の第５の実施形態に係る照明装置５について、図２６乃至図２８を参照しながら、具体的に説明する。
【００８８】
なお、本発明の第５の実施形態に係る照明装置５は、図２６に示すように、第３の実施形態の照明装置３を構成する発光部８０の導光板の様に凹状又は凸状のパターンがマトリクス状に形成され、且つ発光部８０の導光板と異なり表示面を設け該表示面に所定の情報を表すように凹状又は凸状のパターンが所定の配列で形成されていることに特徴を有している。また、それ以外の第５の実施形態に係る構成は、第１の実施形態で述べた構成と同様である。具体的には、第５の実施形態の照明装置５は、図２６に示すように、第１の実施形態の照明装置１と同様の仕様から成る導光部２０及び筐体部３０と、第５の実施形態の照明装置５に特有の発光部１１０から構成される。そこで、第５の実施形態においては、第１の実施形態とは異なる構成である発光部１１０について中心に説明する。なお、導光部２０に換えて、導光部７０を用いる構成としても良い。
【００８９】
第５の実施形態の照明装置５を構成する発光部１１０は、導光板１１３の先端１１３ｇから突出した導光板１１４の部分に表示面１１４ｓを設け、該表示面１１４ｓに凹状又は凸状のパターンを密集させることにより所定の情報を表している。この様な発光部１１０は、光源１１１、基板１１２、導光板１１３及び導光板１１４から構成されている。以下、発光部１１０の各構成について説明する。発光部１１０の光源１１１及び基板１１２は、発光部１０の光源１１及び基板１２と、同様の構成である。また、導光板１１４は、先端１１４ｇ及び先端１１４ｇ'の仕様と、導光片１１４ａと導光片１１４ｄの間に表示部１１４ｓを設けた導光片１１４ｅを有していることを除いて、発光部１０の導光板１４と同様の仕様から成る。ここで、導光板１１４の先端１１４ｇは、互い違いに傾斜した複数の傾斜面により複数の窪んだ形状を有している。同様に、導光板１１４の先端１１４ｇ'は、対向した２つの傾斜面により中央が窪んでいる。また、導光片１１４ｅは、発光部１０の導光板１４の導光片１４ｂと導光片１４ｃの間が分岐されておらず、一体に形成されたものに相当する。
【００９０】
また、発光部１１０に関し、導光板１１４の導光片１１４ｅは、導光板１１４と組み合わされた導光板１１３の先端１１３ｇから突出した部分に表示面１１４ｓを設けており、該表示面１１４ｓには凹状又は凸状のパターンで所定の情報が表されている。ここで、該所定の情報は、例えば、キャラクタ、図形、商号、文字、又は記号から成り、それらを組み合わせたものでも良い。具体的には、図２７に示す表示面１１４ｓには、例えば、凹状又は凸状のパターンを密集させることにより、アルファベットの大文字で「Ａ」と表示されている。なお、該表示面１１４ｓには、マトリクス状に形成された凹状又は凸状のパターンは設けられていない。
【００９１】
また、発光部１１０の変形例に関し、図２８に示す発光部１２０の導光板１２４には、表示面１２４ｓと表示面１２４ｓ'が対向して設けられている。ここで、表示面１２４ｓには、例えば、凹状又は凸状のパターンを密集させることにより、アルファベットの大文字で「Ｂ」と表示されている。一方、表示面１２４ｓ'には、例えば、凹状又は凸状のパターンを密集させることにより、アルファベットの大文字での「Ｂ」を反転させた文字が表示されている。
【００９２】
以上、第５の実施形態に係る照明装置５は、第１乃至第４の実施形態に係る照明装置１乃至照明装置４と同様に、スポット型や電球型など光の配光特性やデザイン性に係る仕様を自由に選択することができ、且つ装置から出射される光の配光分布が十分に平均化されており、さらに装置の下方に加えて該装置の周囲についても十分に照明できる。
【００９３】
具体的には、第５の実施形態に係る照明装置５によれば、例えば第１の実施形態に係る照明装置１と同様に、発光部１１０の導光板を複数に分岐させることで、導光板の内部で光を正反射させる側面の表面積が増加することから、該側面間で光が多重反射し易くなる。したがって、照明装置５では、導光板の先端から放出されてしまう光の割合が減少し、拡散光に変換され導光板の側面から導出される光の割合が増加することより、導光板から導出される光の配光分布を広げることができる。
【００９４】
また、第５の実施形態に係る照明装置５によれば、例えば第１の実施形態に係る照明装置１と同様に、発光部１１０に、例えば十字状に立体的に組み合わせた複数の導光板を設けている。したがって、導光板から導出された拡散光を、隣接する導光板に遮光されることなく放出させることができる。
【００９５】
同様に、第５の実施形態に係る照明装置５によれば、例えば第１の実施形態に係る照明装置１と同様に、発光部１１０の導光板の先端を特殊な形状に形成することが可能である。したがって、照明する対象物や空間に合わせ、照明装置５の光の指向性や強度分布を最適化することができる。
【００９６】
さらに、第５の実施形態に係る照明装置５によれば、例えば第１の実施形態に係る照明装置１と同様に、導光部２０が、発光部１１０の周囲を囲うように配設され、光源２１から光が入射される導光部材２３と該導光部材２３から導出された光を所定の方向に反射させる反射部材２４とを設けている。したがって、発光部１１０の周囲を囲うように配設された導光部２０の導光部材２３から導出される光により、照明装置５から出射される光の配光分布を十分に平均化することができる。さらに、導光部２０の導光部材２３の下面２３ｃや鍔２３ｄから導出される光により、照明装置５の下方に加えて該照明装置５の周囲についても十分に照明できる。
【００９７】
また、第５の実施形態に係る照明装置５によれば、例えば第１の実施形態に係る照明装置１と同様に、導光部２０の反射部材２４に、導光部材２３が当接した状態で、例えば図示せぬ反射部材２４に設けられた鉤状のフックにより係留され、又は図示せぬネジによりネジ留め等されている。したがって、導光部材２３から導出された光の約半分は、反射部材２４で反射され、該反射された光の大部分は照明装置５の外部に導出されることから、光の取り出し効率を向上させることができる。
【００９８】
さらに、第５の実施形態に係る照明装置５によれば、第１乃至第４の実施形態に係る照明装置１乃至照明装置４と異なり、発光部１１０の導光板１１４の導光片１１４ｅにおいて、導光板１１４と組み合わされた導光板１１３の先端１１３ｇから突出した部分に、凹状又は凸状のパターンを用いて所定の情報が表された表示面１１４ｓを設けている。したがって、例えば、照明装置５を使用している施設の名称等を、発光部１１０の導光板１１４の表示面１１４ｓに表示することで、視覚効果により施設の名称等をユーザの記憶に残り易くすることができ、且つ照明装置５のデザイン性を高めることができる。
【００９９】
次に、本発明の各実施形態に係る照明装置の発光部を構成する導光板、及び導光部を構成する導光部材の製造方法について、具体的に説明する。
【０１００】
導光板又は導光部材の製造方法には、例えば超音波加工、加熱加工、切削加工、レーザ加工、成型加工、及びシルク印刷加工を用いることができる。以下、各製造方法について説明する。超音波加工では、導光板又は導光部材の表面に当接させた超音波加工用ホーンの超音波の振動を用いて、導光板又は導光部材の表面を部分的に溶融させることにより、該表面に凹状のパターンを形成する。また、加熱加工では、導光板又は導光部材の表面に当接させた加工具の熱を用いて、導光板又は導光部材の表面を部分的に溶融させることにより、該表面に凹状のパターンを形成する。同様に、切削加工では、導光板又は導光部材の表面に当接しながら回転又は付勢させた切削工具を用いて、導光板又は導光部材の表面を部分的に削り取ることにより、該表面に凹状のパターンを形成する。同様に、レーザ加工では、導光板又は導光部材の表面に集光させたレーザ光の熱を用いて、導光板又は導光部材の表面を部分的に溶融させることにより、該表面に凹状のパターンを形成する。
【０１０１】
また、導光板又は導光部材の製造方法に関し、成型加工では、成型する導光板又は導光部材の外形形状を反映させた形状を金型の内部に形成し、例えば射出成型機に装着した金型に対して加熱して軟化させた樹脂を注入してから、該樹脂を冷却させることにより、導光板又は導光部材の表面に凹状のパターン、凸状のパターン、又は凹状及び凸状のパターンを形成する。同様に、シルク印刷加工では、導光板又は導光部材の表面に対して所定の孔が開口した板を当接させ、孔を介して硬化性の樹脂を表面に付着させて、該表面を部分的に樹脂で被覆させることにより、該表面に凸状のパターンを形成する。また、成型加工又はシルク印刷加工に用いる樹脂に、例えば拡散光を発する微粒子状の拡散部材を添加しても良い。同様に、上述した超音波加工、加熱加工、切削加工、又はレーザ加工を行う導光板又は導光部材の基材である樹脂に、例えば拡散光を発する微粒子状の拡散部材を添加したものを用いても良い。なお、上述した超音波加工、加熱加工、切削加工、レーザ加工、成型加工、及びシルク印刷加工を組み合わせて導光板又は導光部材を形成しても良い。具体的には、例えば成型加工により導光板又は導光部材の外形形状のみを形成した上で、例えば超音波加工により導光板又は導光部材の表面に凹状のパターンを形成しても良い。同様に、例えば成型加工により導光板又は導光部材の外形形状のみを形成した上で、例えばシルク印刷加工により導光板又は導光部材の表面に凸状のパターンを形成しても良い。
【０１０２】
最後に、本願発明に係る第１乃至第５の実施形態に係る照明装置１乃至照明装置５の構成と主な作用効果について、請求項毎に説明する。
【０１０３】
請求項１に記載の照明装置１乃至５は、導光板１３、１４、１６、１７ａ、１７ｂ、１７ｃ、１７ｄ、１７ｅ、１７ｆ、１７ｇ、１７ｈ、４１、４２、５１、５２、６１、６２、６３、６４、６５、６６、８３、８４、８５、８６、８７、１１３、１１４、１２３、１２４、又は発光体９１を設け光を発する発光部１０、４０、５０、８０、９０、１１０、又は１２０と、発光部１０、４０、５０、８０、９０、１１０、又は１２０の周囲を囲うように配設され、光源２１又は７１と該光源２１又は７１から光が入射される導光部材２３、２５、２６、又は７３と該導光部材２３、２５、２６、又は７３から導出される光を所定の方向に反射させる反射部材２４又は７４とを設けた導光部２０又は７０と、発光部１０、４０、５０、８０、９０、１１０、又は１２０及び導光部２０又は７０を保持し、該発光部１０、４０、５０、８０、９０、１１０、又は１２０及び該導光部２０又は７０に電力を供給する電源基板を設けた筐体部３０又は１００とを有し、発光部１０、４０、５０、８０、１１０、又は１２０の導光板１３、１４、１６、１７ａ、１７ｂ、１７ｃ、１７ｄ、１７ｅ、１７ｆ、１７ｇ、１７ｈ、４１、４２、５１、５２、６１、６２、６３、６４、６５、６６、８３、８４、８５、８６、８７、１１３、１１４、１２３、又は１２４は、発光部１０、４０、５０、８０、１１０、又は１２０に備えられた光源１１又は１１１から発せられた光を入射面から入射させて他の面から導出することを特徴としている。
【０１０４】
この様な請求項１に記載の照明装置１乃至５によれば、スポット型や電球型など光の配光特性やデザイン性に係る仕様を自由に選択することができ、且つ装置から出射される光の配光分布が十分に平均化されており、さらに装置の下方に加えて該装置の周囲についても十分に照明できる。
【０１０５】
また、請求項１に記載の照明装置１乃至５によれば、発光部１０、４０、５０、８０、９０、１１０、又は１２０の周囲を囲うように配設された導光部２０又は７０の導光部材２３、２５、２６、又は７３から導出される光により、照明装置１乃至５から出射される光の配光分布を十分に平均化することができる。
【０１０６】
さらに、請求項１に記載の照明装置１乃至５によれば、導光部材２３、２５、２６、又は７３から導出された約半分の光が、反射部材２４又は７４で反射され、該反射された光の大部分は照明装置１乃至５の外部に導出されることから、光の取り出し効率を向上させることができる。さらに、この様な請求項１に記載の照明装置１乃至３及び５によれば、発光部１０、４０、５０、８０、１１０、又は１２０の導光板１３、１４、１６、１７ａ、１７ｂ、１７ｃ、１７ｄ、１７ｅ、１７ｆ、１７ｇ、１７ｈ、４１、４２、５１、５２、６１、６２、６３、６４、６５、６６、８３、８４、８５、８６、８７、１１３、１１４、１２３、又は１２４の形状を自由に設計することができることから、照明装置１乃至３及び５の各発光部の各導光板から導出される光の配光特性やデザイン性に係る仕様を任意に最適化することができる。
【０１２５】
請求項２に記載の照明装置１乃至５は、請求項１に従属し、発光部９０の発光体９１は、全体が球状に形成された電球形状、先端が平面状に形成され側面が湾曲した樽形状、又は先端が平面状に形成され側面が延伸した円錐台若しくは円柱形状から成ることを特徴としている。
【０１２６】
この様な請求項２に記載の照明装置１乃至５によれば、電球型に相当する全体が球状に形成された電球形状や、スポット型に相当する先端が平面状に形成され側面が湾曲した樽形状、又は先端が平面状に形成され側面が延伸した円錐台若しくは円柱形状を有し、店舗等で販売され広く流通している白熱電球、蛍光灯、又はネオン管等を用いて、光の配光特性やデザイン性に係る仕様を任意に選択することができる。
【０１２７】
請求項３に記載の照明装置１乃至３及び５は、請求項１に従属し、発光部１０、４０、５０、８０、１１０、又は１２０の導光板１３、１４、１６、１７ａ、１７ｂ、１７ｃ、１７ｄ、１７ｅ、１７ｆ、１７ｇ、１７ｈ、４１、４２、５１、５２、６１、６２、６３、６４、６５、６６、８３、８４、８５、８６、８７、１１３、１１４、１２３、又は１２４は、交差して設けられ、並列に設けられ、又は屈折もしくは湾曲して設けられていることを特徴としている。
【０１２８】
この様な請求項３に記載の照明装置１乃至３及び５によれば、例えば、発光部１０の導光板１３及び導光板１４を、十字状に交差させて設けることにより、例えば、導光板１３の主面から導出された光を、該導光板１３に隣接した導光板１４に遮光されることなく放出させることができる。さらに、導光板１３及び導光板１４はそれぞれ透明であることから、例えば導光板１３の一主面越しに該導光板１３の他主面を視認することができる。同様に、例えば導光板１３の一主面越しに、交差して設けられた導光板１４の一主面を視認することができる。この様な構成により、発光部１０を、円周方向のいずれの方向から視認した場合にも、導光板１３及び１４から導出される光の明暗の差を抑制することができる。
【０１２９】
請求項４に記載の照明装置１乃至３及び５は、請求項１に従属し、発光部１０は、導光板１７ｅ又は１７ｆの入射面に対向する先端に、所定の深さの円柱形状又は円錐形状から成る凹部が形成されていることを特徴としている。
【０１３０】
この様な請求項４に記載の照明装置１乃至３及び５によれば、導光板１７ｅ及び導光板１７ｆに形成された円柱形状又は円錐形状から成る凹部により、導光板１７ｅ及び導光板１７ｆの表面積を大きくして、光の取り出し効率を向上させることができる。また、導光板１７ｅ及び導光板１７ｆに形成された円柱形状又は円錐形状から成る凹部の表面精度を粗くすれば、凹部の内周面で光が拡散反射することから、光の取り出し効率を向上させることができる。
【０１３１】
請求項５に記載の照明装置１乃至３及び５は、請求項１に従属し、発光部１０は、導光板１７ｇ又は１７ｈの入射面に対向する先端が、台形台形状又は円錐台形状から形成されていることを特徴としている。
【０１３２】
この様な請求項５に記載の照明装置１乃至３及び５によれば、導光板１７ｇ及び導光板１７ｈの各導光片の先端部分に、台形台形状又は円錐台形状から成る凸部を形成することにより、直交する角の部分が取り除かれ、導光板の内部で光が多重反射し易くなる。したがって、導光板１７ｇ及び導光板１７ｈにおける光の取り出し効率を、向上させることができる。また、導光板１７ｇ及び導光板１７ｈの各導光片の先端部分は、台形台形状又は円錐台形状から成る略レンズ状で形成されているため、該先端部分から外部に放出される光を略平行光とすることができる。
【０１３３】
請求項６に記載の照明装置１乃至３及び５は、請求項１に従属し、発光部の導光板６１、６２、６３、６４、６５、又は６６は、複数組み合わされた導光板６１、６２、６３、６４、６５、又は６６の断面が、内部に空間を設けた多角柱形状、円筒形状、楕円形状、又は中心から複数の枝部を突出させた形状から成ることを特徴としている。
【０１３４】
この様な請求項６に記載の照明装置１乃至３及び５によれば、発光部の導光板６１、６２、６３、６４、６５、又は６６が、それぞれ特殊な形状に加工されていることにより、導光板６１、６２、６３、６４、６５、又は６６の内部で多重反射が発生し易く、且つデザイン性に優れ、さらに視認する角度による光の強度分布の差を抑制することができる。
【０１３５】
請求項７に記載の照明装置１乃至５は、請求項１に従属し、発光部１０、４０、５０、８０、９０、１１０、又は１２０の導光板１３、１４、１６、１７ａ、１７ｂ、１７ｃ、１７ｄ、１７ｅ、１７ｆ、１７ｇ、１７ｈ、４１、４２、５１、５２、６１、６２、６３、６４、６５、６６、８３、８４、８５、８６、８７、１１３、１１４、１２３、又は１２４の一部は、導光部２０又は７０の導光部材２３、２５、２６、又は７３から突出して設けられていることを特徴としている。
【０１３６】
この様な請求項７に記載の照明装置１乃至５によれば、導光部２０又は７０から突出した発光部１０、４０、５０、８０、９０、１１０、又は１２０の導光板１３、１４、１６、１７ａ、１７ｂ、１７ｃ、１７ｄ、１７ｅ、１７ｆ、１７ｇ、１７ｈ、４１、４２、５１、５２、６１、６２、６３、６４、６５、６６、８３、８４、８５、８６、８７、１１３、１１４、１２３、又は１２４の部分を用いて、例えば、各発光部の各導光板の拡散光に係る光の指向性や強度分布を最適化したり、所定の情報を報知することができる。
【０１３７】
請求項８に記載の照明装置５は、請求項１に従属し、発光部１１０又は１２０の導光板１１３、１１４、１２３、又は１２４、又は導光部２０又は７０の導光部材２３、２５、２６、又は７３の少なくとも一面以上の一部に、凹状又は凸状のパターンで所定の情報を表す表示面が設けられていることを特徴としている。
【０１３８】
この様な請求項８に記載の照明装置５によれば、例えば、照明装置５を使用している施設の名称等を、例えば、発光部１１０の導光板１１４の表示面１１４ｓに表示することで、視覚効果により施設の名称等をユーザの記憶に残り易くすることができ、且つ照明装置５のデザイン性を高めることができる。
【０１３９】
請求項９に記載の照明装置５は、請求項８に従属し、表示面は、発光部１２０の導光板１２４の対向する一面と他面にそれぞれ設けられ、他面に表された所定の情報は、一面に表された所定の情報を左右方向又は上下方向に対して反転したものであることを特徴としている。
【０１４０】
この様な請求項９に記載の照明装置５によれば、例えば、照明装置５を使用している施設の名称等を、例えば、発光部１２０の導光板１２４の対向する表示面１２４ｓと表示面１２４ｓ'に方向を揃えて表示することにより、その施設の名称等を強調できることから、視覚効果により施設の名称等をユーザの記憶に残り易くすることができ、且つ照明装置５のデザイン性を高めることができる。
【０１４１】
請求項１０に記載の照明装置５は、請求項８に従属し、表示面に設けられた所定の情報は、キャラクタ、図形、商号、文字、記号、又はそれらの組み合わせから成ることを特徴としている。
【０１４２】
この様な請求項１０に記載の照明装置５によれば、例えば、照明装置５を使用している施設の名称等を、キャラクタ、図形、商号、文字、記号、又はそれらの組み合わせを用いて表現できることから、表示面に設ける所定の情報の自由度を高めることができる。
【符号の説明】
【０１４３】
１，２，３，４，５  照明装置
１０，４０，５０，８０，９０，１１０，１２０  発光部
１１，１５，１１１  光源
１２，１１２  基板
１２ａ  裏面
１２ｂ  ネジ孔
１３，１４，１６，１７ａ，１７ｂ，１７ｃ，１７ｄ，１７ｅ，１７ｆ，１７ｇ，１７ｈ，４１，４２，５１，５２，６１，６２，６３，６４，６５，６６，８３，８４，８５，８６，８７，１１３，１１４，１２３，１２４  導光板
１６ａ，１６ｂ，１６ｃ，１６ｄ，１７ａ'，１７ｂ'，１７ｃ'，１７ｄ'，１７ｅ'，１７ｆ'，１７ｇ'，１７ｈ'，１１４ａ，１１４ｄ，１１４ｅ，１２４ａ，１２４ｄ，１２４ｅ  導光片
１３ａ，１３ｂ，１３ｃ，１３ｄ，１４ａ，１４ｂ，１４ｃ，１４ｄ，８３ａ，８３ｂ，８３ｃ，８３ｄ，８４ａ，８４ｂ，８４ｃ，８４ｄ，８５ａ，８５ｂ，８５ｃ，８５ｄ，８６ａ，８６ｂ，８６ｃ，８６ｄ，８７ａ，８７ｂ，８７ｃ，８７ｄ  分岐部
１３ｅ，１３ｍ，１３ｎ，１４ｅ，１４ｍ，１４ｎ，１６ｅ，１６ｍ，１６ｎ，８３ｅ，８３ｍ，８３ｎ，８４ｅ，８４ｍ，８４ｎ，８５ｅ，８５ｍ，８５ｎ，８６ｅ，８６ｍ，８６ｎ，８７ｅ，８７ｍ，８７ｎ  切欠部
１３ｆ，１４ｆ，１６ｆ，８３ｆ，８４ｆ，８５ｆ，８６ｆ，８７ｆ  入射面
１３ｇ，１３ｇ'，１４ｇ，１４ｇ'，１６ｇ，１６ｇ'，８３ｇ，８３ｇ'，８４ｇ，８４ｇ'，８５ｇ，８５ｇ'，８６ｇ，８６ｇ'，８７ｇ，８７ｇ'，１１３ｇ，１１３ｇ'，１１４ｇ，１１４ｇ'，１２３ｇ，１２３ｇ'，１２４ｇ，１２４ｇ'  先端
１３ｈ，１４ｈ  係合部
１４ｊ  接合部
１６ｈ，１６ｊ，１６ｐ，１６ｔ，８５ｈ，８５ｊ，８５ｐ，８５ｔ，８６ｈ，８６ｊ，８６ｐ，８６ｔ，８７ｈ，８７ｊ，８７ｐ，８７ｔ  一側面
１６ｉ，１６ｋ，１６ｓ，１６ｕ，８５ｉ，８５ｋ，８５ｓ，８５ｕ，８６ｉ，８６ｋ，８６ｓ，８６ｕ，８７ｉ，８７ｋ，８７ｓ，８７ｕ  他側面
１６ｖ，８５ｖ，８６ｖ，８７ｖ  一主面
１６ｑ，８５ｑ，８６ｑ，８７ｑ  他主面
８５ｗ，８５ｒ，８６ｗ，８６ｒ，８７ｗ，８７ｒ  パターン
９１  発光体
１１４ｓ，１２４ｓ，１２４ｓ'  表示面
２０，７０  導光部
２１，７１  光源
２２，７２  基材
２３，２５，２６，７３  導光部材
２３ａ，２５ａ，２６ａ，７３ａ  入射面
２３ｂ，２５ｂ，２６ｂ，７３ｂ  側面
２３ｃ，２５ｃ，２６ｃ，７３ｃ  下面
２３ｄ，７３ｄ  鍔
２４，７４  反射部材
２４ａ，７４ａ  反射部材上部
２４ｂ，７４ｂ  反射部材下部
７３ｖ  一側面
７３ｑ  他側面
７３ｗ，７３ｒ  パターン
３０，１００  筐体部
３１，１０１  受電部材
３１ａ，１０１ａ  受電部材一面
３１ｂ，１０１ｂ  受電部材他面
３１ｃ，１０１ｃ  係合孔
３１ｄ，１０１ｄ  外周面
３１ｅ  ネジ溝
３１ｆ，１０１ｆ  係合溝
３１ｇ，１０１ｇ  接合面
３１ｊ，１０１ｊ  電源基板
３１ｋ  口金
３２  保持部材
３２ａ  溝部
３２ｂ  突起部
３２ｄ，３２ｅ  孔
３２ｆ  ネジ山
３３  固定部材
３４，１０４  上板材
３４ａ，１０４ａ  上板材下面
３４ｂ，１０４ｂ  上板材上面
３４ｃ，１０４ｃ  上板材内周面
３５，１０５  外枠材
３５ａ，１０５ａ  外枠材上部
３５ｂ，１０５ｂ  外枠材下部
３６，１０６  内枠材
３６ａ，１０６ａ  内枠材上部
３６ｂ，１０６ｂ  内枠材下部
１０１ｍ  受電部
Ｅ  目
Ｔ  電路部
【図１】
0005528983.tif 000002
【図２】
0005528983.tif 000003
【図３】
0005528983.tif 000004
【図４】
0005528983.tif 000005
【図５】
0005528983.tif 000006
【図６】
0005528983.tif 000007
【図７】
0005528983.tif 000008
【図８】
0005528983.tif 000009
【図９】
0005528983.tif 000010
【図１０】
0005528983.tif 000011
【図１１】
0005528983.tif 000012
【図１２】
0005528983.tif 000013
【図１３】
0005528983.tif 000014
【図１４】
0005528983.tif 000015
【図１５】
0005528983.tif 000016
【図１６】
0005528983.tif 000017
【図１７】
0005528983.tif 000018
【図１８】
0005528983.tif 000019
【図１９】
0005528983.tif 000020
【図２０】
0005528983.tif 000021
【図２１】
0005528983.tif 000022
【図２２】
0005528983.tif 000023
【図２３】
0005528983.tif 000024
【図２４】
0005528983.tif 000025
【図２５】
0005528983.tif 000026
【図２６】
0005528983.tif 000027
【図２７】
0005528983.tif 000028
【図２８】
0005528983.tif 000029